(57)【要約】【課題】  ＰＣに対して接続した記録メディアが外付けドライブのように認識される接続環境であっても、専用のアプリケーションを用いることなく、カメラにて撮影した静止画像と動画像との双方を撮影した時間順序に沿ってＰＣ画面上に一覧表示できるようにする。【解決手段】  撮影して得られる上記動画像データ及び静止画像データを記録メディア１０５の動画フォルダ及び静止画フォルダにそれぞれ撮影順序に従って記録するとともに、動画撮影時には、撮影中の動画像データから１フレーム分の画像データを画像保持回路１０６により抽出し、その画像データを記録メディア１０５の静止画フォルダに追加して記録するようにして、接続環境にかかわらず、記録メディア１０５の静止画フォルダのみ確認すれば、動画像及び静止画像の双方が撮影時間順に沿って一覧表示できるようにする。【選択図】  図１
2005175822.tif 000002
【特許請求の範囲】
【請求項１】
動画及び静止画を撮影可能な撮像装置であって、
撮影中の動画像データから１フレーム分の画像データを抽出し保持する画像保持手段と、
撮影順序に従って、撮影して得られる上記動画像データ及び静止画像データを記憶媒体の動画フォルダ及び静止画フォルダにそれぞれ記録するとともに、動画撮影時には、上記画像保持手段により保持された画像データを上記記憶媒体の静止画フォルダに記録する記録手段とを備えることを特徴とする撮像装置。
【請求項２】
動画及び静止画を撮影可能な撮像装置であって、
撮影中の動画像データから１フレーム分の画像データを抽出し保持する画像保持手段と、
上記画像保持手段により保持された画像データ及び撮影して得られる静止画像データを記憶媒体の１つの共通フォルダに撮影順序に従って記録する記録手段とを備えることを特徴とする撮像装置。
【請求項３】
上記画像保持手段により保持された画像データのサムネイル画像データ、及び撮影して得られる静止画像データのサムネイル画像データを上記共通フォルダに記録することを特徴とする請求項２記載の撮像装置。
【請求項４】
上記記憶媒体は、撮影して得られる上記動画像データ及び静止画像データをそれぞれ記録する動画フォルダ及び静止画フォルダを有し、
上記共通フォルダは、上記動画フォルダ及び静止画フォルダとは異なるフォルダであることを特徴とする請求項２又は３記載の撮像装置。
【請求項５】
動画及び静止画を撮影可能であるとともに、撮影して得られる動画像データ及び静止画像データを、それぞれに応じて異なるデータファイル形式で記憶媒体の動画フォルダ及び静止画フォルダにまとめて記録する撮影装置であって、
撮影中の上記動画像データから１フレーム分の画像データのみを抽出し保持する画像保持手段を備え、
動画撮影時には、上記動画像データを上記動画フォルダに記録するとともに、上記画像保持手段により保持された画像データを当該動画像データの代表静止画像として上記静止画フォルダに自動的に記録することを特徴とする撮像装置。
【請求項６】
動画及び静止画を撮影可能であるとともに、撮影して得られる動画像データ及び静止画像データを、それぞれに応じて異なるデータファイル形式で記憶媒体の動画フォルダ及び静止画フォルダにまとめて記録する撮影装置であって、
撮影中の上記動画像データから１フレーム分の画像データのみを抽出し保持する画像保持手段を備え、
静止画撮影時には上記静止画像データのサムネイル画像データを、動画撮影時には当該動画像データの代表静止画像として上記画像保持手段により保持された画像データのサムネイル画像データを、上記記憶媒体の上記動画フォルダ及び静止画フォルダとは異なる共通フォルダに自動的にまとめて記録することを特徴とする撮像装置。
【請求項７】
上記代表静止画像として記録される画像データに係るファイル名は、記録するフォルダ内の画像の撮影時刻情報、又は撮影時刻順に番号を付すデジタルデータとして記録することを特徴とする請求項５又は６記載の撮像装置。
【請求項８】
上記画像保持手段は、保持した上記画像データが上記動画像データの一部であることを示すデータを当該画像データに付加することを特徴とする請求項１〜７の何れか１項に記載の撮像装置。
【請求項９】
上記動画像データの一部であることを示すデータは、上記保持された画像データに係る画像を表示した際に、当該画像とともに表示される認識可能な画像の画像データであることを特徴とする請求項８記載の撮像装置。
【請求項１０】
上記動画像データの一部であることを示すデータを、上記画像保持手段により保持された画像データに付加するか否かを切り替え可能であることを特徴とする請求項８又は９記載の撮像装置。
【請求項１１】
上記画像保持手段により保持された画像データを、上記静止画像データとともに記録するか否かを切り替え可能であることを特徴とする請求項１〜１０の何れか１項に記載の撮像装置。
【請求項１２】
上記画像保持手段は、動画撮影を開始してから所定時間経過後の１フレーム分の画像データを抽出することを特徴とする請求項１〜１１の何れか１項に記載の撮像装置。
【請求項１３】
上記記憶媒体に記録された動画像データを再生する再生手段をさらに備え、
上記再生手段により再生された動画像データから任意の１フレーム分の画像データを上記画像保持手段にて抽出し、抽出された画像データを動画撮影時に記録された画像データと置換し上記記憶媒体に記録可能にしたことを特徴とする請求項１〜１２の何れか１項に記載の撮像装置。
【請求項１４】
上記静止画フォルダの内容をスライドショーで表示可能にしたことを特徴とする請求項１〜１３の何れか１項に記載の撮像装置。
【請求項１５】
記憶媒体の動画フォルダ及び静止画フォルダに、入力される動画像データ及び静止画像データを入力された順序に従ってそれぞれ記録する画像処理方法であって、
入力される上記動画像データから１フレーム分の画像データを抽出し保持する画像保持ステップと、
上記画像保持ステップにて保持された画像データを上記静止画フォルダに記録する記録ステップとを有することを特徴とする画像処理方法。
【請求項１６】
記憶媒体の動画フォルダ及び静止画フォルダに、入力される動画像データ及び静止画像データを入力された順序に従ってそれぞれ記録する画像処理方法であって、
入力される上記動画像データから１フレーム分の画像データを抽出し保持する画像保持ステップと、
上記画像保持ステップにて保持された画像データ、及び入力される静止画像データを上記記憶媒体の動画フォルダ及び静止画フォルダとは異なる１つの共通フォルダに入力された順序に従って記録する記録ステップとを有することを特徴とする画像処理方法。
【請求項１７】
動画及び静止画を撮影可能な撮像装置にて、撮影中の動画像データから１フレーム分の画像データを抽出し保持する画像保持手段と、
撮影順序に従って、撮影して得られる上記動画像データ及び静止画像データを記憶媒体の動画フォルダ及び静止画フォルダにそれぞれ記録するとともに、動画撮影時には、上記画像保持手段により保持された画像データを上記記憶媒体の静止画フォルダに記録する記録手段としてコンピュータを機能させるためのプログラム。
【請求項１８】
動画及び静止画を撮影可能な撮像装置にて、撮影中の動画像データから１フレーム分の画像データを抽出し保持する画像保持手段と、
上記画像保持手段により保持された画像データ及び撮影して得られる静止画像データを記憶媒体の１つの共通フォルダに撮影順序に従って記録する記録手段としてコンピュータを機能させるためのプログラム。
【請求項１９】
請求項１７又は１８記載のプログラムを記録したことを特徴とするコンピュータ読み取り可能な記録媒体。
【発明の詳細な説明】
【技術分野】
【０００１】
本発明は、撮像装置、画像処理方法、記録媒体およびプログラムに関し、特に、動画及び静止画が撮影可能であるとともに、撮影して得られた画像データを記録メディアに記録するデジタルカメラ又はデジタルビデオカメラに用いて好適なものである。
【背景技術】
【０００２】
近年、撮影した画像情報をデジタルデータとしてカメラ内の記録メディア（メモリーカードや光ディスクなど）に保持するデジタルカメラやデジタルビデオカメラ（以下、デジタルカメラやデジタルビデオカメラを、単に「カメラ」とも称す。）の普及はめざましい。特に、近年は静止画と動画の両方に対応したカメラが一般的になってきており、目的によって自由に使い分けた撮影も可能である。
【０００３】
一方、その撮影画像の画像データをパーソナル・コンピュータ（ＰＣ）等に取り込む手段としては、メモリーカードをカメラから抜去して、ＰＣに接続されたカードドライブ機器（リーダーライター）に挿入し画像データをコピーする方式や、ＩＥＥＥ１３９４、ＵＳＢ等の規格に準拠したデジタルインタフェースケーブルを介して画像データをＰＣに転送する方式や、ＩｒＤＡ、Ｂｌｕｅｔｏｏｔｈ等の規格に準拠した無線電送により画像データを転送する方式など多岐にわたる。また、その通信に使われる通信プロトコルもそれぞれ多くの形式が提案、実用化されている。このような環境にあって、１機種のカメラ装置であっても、複数の手段、複数の通信プロトコルでＰＣにデータ転送することも可能になってきており、それらの適切な使い分けも必要となっている。
【０００４】
通常、カメラ本体にて行う画像再生時の操作では、カメラ本体内のソフトウエアによるユーザーインターフェースが動作し、例えば、静止画と動画とのサムネイル画像を並べたインデックス画面が表示される。そして、このインデックス画面を見て所望の静止画又は動画を選択し再生することが一般的である。
【０００５】
これに対し、ＰＣに接続されたカードドライブ機器や、ＩＥＥＥ１３９４、ＵＳＢによるストレージクラス通信を利用する場合には、記録メディアは、１つの外付けドライブのような位置づけでＰＣにおける表示画面（以下、「ＰＣ画面」と称す。）上に表示される。このように、記録メディア内のファイル、フォルダ（「ディレクトリ」とも言う。以下についても同様）、及びフォルダ構造を、直接見える形でＰＣ画面に表示する通信プロトコルも広く利用されている。
この様な技術が特許文献１に開示されている。
【０００６】
【特許文献１】特開２００３−２３３５７６号公報
【発明の開示】
【発明が解決しようとする課題】
【０００７】
近年、カメラとＰＣとの間でのデータ交換は広く利用されており、上述のようにカードドライブ機器を利用してＰＣ画面で記録メディア（メモリーカード）内のデータ等を見る場合には、例えばＵＳＢマスストレージクラスのプロトコル等を使用する場合が多い。その場合、ファイルの移動、複製及び削除等のファイル操作を行うためのアプリケーションであるファイル操作ソフト（例えば、ＯＳであるWindows(R)のアプリケーションソフトであるエクスプローラなど）による表示を参照してＰＣにてファイル操作を行うことが可能となる。
【０００８】
このアプリケーションの画面表示では、フォルダ構造がツリー形式で表示され、目的の画像ファイルがあるフォルダを開き（ダブルクリックし）、次にファイルを開くことではじめて当該ファイルに係る画像を認識することができる。したがって、動画が動画フォルダ内に配置され、静止画が静止画フォルダ内に配置されている、ＤＣＦ（Design rule for Camera File system）フォーマットに対応した現在の多くのデジタルカメラ装置では、静止画と動画との双方のサムネイル画像を撮影した順にＰＣ画面上に表示させて全体を一度に確認することは困難であるのが実状である。
【０００９】
本発明は、このような問題に鑑みてなされたものであり、ＰＣに対して接続した記録メディアが外付けドライブのように認識される接続環境であっても、専用のアプリケーションを用いることなく、カメラにて撮影した静止画像と動画像との双方を撮影した時間順序に沿ってＰＣ画面上に一覧表示できるようにすることを目的とする。
【課題を解決するための手段】
【００１０】
本発明の撮像装置は、動画及び静止画を撮影可能な撮像装置であって、撮影中の動画像データから１フレーム分の画像データを抽出し保持する画像保持手段と、撮影順序に従って、撮影して得られる上記動画像データ及び静止画像データを記憶媒体の動画フォルダ及び静止画フォルダにそれぞれ記録するとともに、動画撮影時には、上記画像保持手段により保持された画像データを上記記憶媒体の静止画フォルダに記録する記録手段とを備えることを特徴とする。
また、本発明の撮像装置は、動画及び静止画を撮影可能な撮像装置であって、撮影中の動画像データから１フレーム分の画像データを抽出し保持する画像保持手段と、上記画像保持手段により保持された画像データ及び撮影して得られる静止画像データを記憶媒体の１つの共通フォルダに撮影順序に従って記録する記録手段とを備えることを特徴とする。
また、本発明の撮像装置は、動画及び静止画を撮影可能であるとともに、撮影して得られる動画像データ及び静止画像データを、それぞれに応じて異なるデータファイル形式で記憶媒体の動画フォルダ及び静止画フォルダにまとめて記録する撮影装置であって、撮影中の上記動画像データから１フレーム分の画像データのみを抽出し保持する画像保持手段を備え、動画撮影時には、上記動画像データを上記動画フォルダに記録するとともに、上記画像保持手段により保持された画像データを当該動画像データの代表静止画像として上記静止画フォルダに自動的に記録することを特徴とする。
また、本発明の撮像装置は、動画及び静止画を撮影可能であるとともに、撮影して得られる動画像データ及び静止画像データを、それぞれに応じて異なるデータファイル形式で記憶媒体の動画フォルダ及び静止画フォルダにまとめて記録する撮影装置であって、撮影中の上記動画像データから１フレーム分の画像データのみを抽出し保持する画像保持手段を備え、静止画撮影時には上記静止画像データのサムネイル画像データを、動画撮影時には当該動画像データの代表静止画像として上記画像保持手段により保持された画像データのサムネイル画像データを、上記記憶媒体の上記動画フォルダ及び静止画フォルダとは異なる共通フォルダに自動的にまとめて記録することを特徴とする。
本発明の画像処理方法は、記憶媒体の動画フォルダ及び静止画フォルダに、入力される動画像データ及び静止画像データを入力された順序に従ってそれぞれ記録する画像処理方法であって、入力される上記動画像データから１フレーム分の画像データを抽出し保持する画像保持ステップと、上記画像保持ステップにて保持された画像データを上記静止画フォルダに記録する記録ステップとを有することを特徴とする。
また、本発明の画像処理方法は、記憶媒体の動画フォルダ及び静止画フォルダに、入力される動画像データ及び静止画像データを入力された順序に従ってそれぞれ記録する画像処理方法であって、入力される上記動画像データから１フレーム分の画像データを抽出し保持する画像保持ステップと、上記画像保持ステップにて保持された画像データ、及び入力される静止画像データを上記記憶媒体の動画フォルダ及び静止画フォルダとは異なる１つの共通フォルダに入力された順序に従って記録する記録ステップとを有することを特徴とする。
本発明のプログラムは、動画及び静止画を撮影可能な撮像装置にて、撮影中の動画像データから１フレーム分の画像データを抽出し保持する画像保持手段と、撮影順序に従って、撮影して得られる上記動画像データ及び静止画像データを記憶媒体の動画フォルダ及び静止画フォルダにそれぞれ記録するとともに、動画撮影時には、上記画像保持手段により保持された画像データを上記記憶媒体の静止画フォルダに記録する記録手段としてコンピュータを機能させることを特徴とする。
また、本発明のプログラムは、動画及び静止画を撮影可能な撮像装置にて、撮影中の動画像データから１フレーム分の画像データを抽出し保持する画像保持手段と、上記画像保持手段により保持された画像データ及び撮影して得られる静止画像データを記憶媒体の１つの共通フォルダに撮影順序に従って記録する記録手段としてコンピュータを機能させることを特徴とする。
本発明のコンピュータ読み取り可能な記録媒体は、上記プログラムを記録したことを特徴とする。
【発明の効果】
【００１１】
本発明によれば、動画像データから代表静止画像として抽出した１フレーム分の画像データと静止画像データとを撮影順序に従って記憶媒体の１つのフォルダに記録するので、外部機器との接続環境にかかわらず、専用のアプリケーションを用いなくとも、撮影した動画像と静止画像との双方を撮影時間順序に沿って外部機器における表示画面上に一覧表示することができる。したがって、動画及び静止画が混在していても、所望のファイルの探し出しや確認等をユーザーは非常に簡単な操作で行うことができ、利便性を向上させることができる。
【発明を実施するための最良の形態】
【００１２】
以下、本発明の実施形態を図面に基づいて説明する。
図１は、本発明の実施形態による撮像装置を適用したデジタルカメラ１０の構成例を示すブロック図であり、光ディスク記録装置を備えたデジタルカメラ１０を一例として示している。また、本実施形態におけるデジタルカメラ１０は、動画及び静止画の双方が撮影可能である。
【００１３】
デジタルカメラ１０は、撮像回路１０１、動画コーデック（ＣＯＤＥＣ）回路１０２、データ処理回路１０３、ディスクインタフェース（ＩＦ）回路１０４、記録メディア１０５、画像保持回路１０６、静止画コーデック（ＣＯＤＥＣ）回路１０７、操作部１０８、コントローラ１０９、表示部１１０、及びデジタルインタフェース（ＩＦ）回路１１１を有する。
【００１４】
撮像回路１０１は、ＣＣＤ等により構成され、撮影した画像の画像データを出力する。動画ＣＯＤＥＣ回路１０２は、入力される動画像データをデータ圧縮／伸張するＭＰＥＧ（moving picture experts group）１方式のエンコーダ／デコーダである。データ処理回路１０３は、画像データに所定のデータ処理を施す。
【００１５】
ディスクＩＦ回路１０４は、記録メディア１０５に画像データを記録したり、記録メディア１０５から画像データを再生したりするためのインタフェース回路である。なお、本実施形態において、記録メディア１０５は、光ディスクメディアのＤＶＤ−ＲＡＭディスクである。
【００１６】
画像保持回路１０６は、入力される画像データの中から静止画像（１フレーム画像）を抽出して一時保持した後、抽出した静止画像を出力する。また、画像保持回路１０６は、コントローラ１０９からの制御に応じて、保持している静止画像に小さなビットマップ画像をスーパーインポーズして出力することも可能である。
【００１７】
静止画ＣＯＤＥＣ回路１０７は、入力される静止画像データをＪＰＥＧ（joint photographic experts group）規格に準拠してデータ圧縮／伸張するエンコーダ／デコーダである。操作部１０８は、デジタルカメラ１０に対してユーザーが各種操作指示を行うためのものであり、例えば操作キーにより構成される。コントローラ１０９は、図示しないＲＯＭ等に記憶された制御プログラムに従って、デジタルカメラ１０が有する各機能部を統括的に制御する。表示部１１０は、ＬＣＤパネル（液晶表示装置）等により構成され、操作画面や撮影画像を表示する。
【００１８】
デジタルＩＦ回路１１１は、デジタルカメラ１０と外部機器（以下、一例としてＰＣ（パーソナル・コンピュータ）とする。）とを接続し、記録メディア１０５とＰＣとの間で画像データを授受するためのインタフェース回路である。具体的には、デジタルＩＦ回路１１１は、デジタルインタフェースケーブル等を介してＰＣに接続され、いわゆるストレージクラスの通信プロトコル（デジタルカメラ１０本体内のファイルシステムを使用しないプロトコル）を使用して画像データの転送を行う。本実施形態において、デジタルＩＦ回路１１１は、ＵＳＢ規格に準拠したＵＳＢインタフェース回路とする。
【００１９】
次に、本実施形態におけるデジタルカメラ１０の動作について説明する。
＜撮影動作＞
まず、動画撮影時の動作について説明し、次に静止画撮影時の動作について説明する。
図２は、デジタルカメラ１０により動画を撮影するときの信号の流れを示す図である。
【００２０】
操作部１０８に対するユーザーの操作により動画の撮影が指示されると、コントローラ１０９等の制御に基づいて、撮像回路１０１から出力される連続した動画像データは、動画ＣＯＤＥＣ回路１０２及び表示部１１０に入力され、表示部１１０により当該動画像データに係る画像が表示される。
【００２１】
一方、動画像ＣＯＤＥＣ回路１０２に入力された動画像データは、ＭＰＥＧ１フォーマットにデータ圧縮された後、データ処理回路１０３にてＭＰＥＧ１のファイルフォーマットに適合する形式にするために必要な付随データが付加される。データ処理回路１０３にて所定のファイル構造にデータ処理された動画像データは、ディスクＩＦ回路１０４を介して記録メディア１０５に記録される。このとき、動画像データは、記録メディア１０５における動画像用の動画像フォルダ内に記録される。
【００２２】
動画撮影時のここまでの動作は、一般の動画対応デジタルカメラの動作と同様であるが、本実施形態におけるデジタルカメラ１０は、上記動作に加え、以下に説明する動作を動画撮影時に行う。
【００２３】
撮影中の動画像ストリームデータは、撮像回路１０１から動画ＣＯＤＥＣ回路１０２及び表示部１１０に入力されるだけでなく、画像保持回路１０６にも入力されている。動画像ストリームデータが入力された画像保持回路１０６は、コントローラ１０９からの制御により、入力される画像データから自動的に撮影開始から所定時間経過後（本実施形態では５秒後）の１フレーム分の画像データを、当該動画の代表静止画像として保持（フリーズ）する。
【００２４】
その後、画像保持回路１０６にて、コントローラ１０９の制御により、所定のビットマップデータ（動画像のマーク）が、保持している静止画像の所定位置（例えば、右下部分）にスーパーインポーズ（合成）される。この所定のビットマップデータは、当該静止画像が動画クリップの中の１カットであることを示す印である。
【００２５】
画像保持回路１０６から出力された合成画像は、静止画ＣＯＤＥＣ回路１０７にてＪＰＥＧ規格に準拠してデータ圧縮され、さらにデータ処理回路１０３にて必要な付随データが付加されＪＰＥＧのファイルフォーマットに適合する形式になるようデータ処理が施される。データ処理回路１０３にて所定のファイル構造にデータ処理された合成画像（静止画像）データは、ディスクＩＦ回路１０４を介して、記録メディア１０５における静止画像用の静止画像フォルダ内に記録される。
【００２６】
次に、デジタルカメラ１０における静止画撮影時の動作について説明する。
操作部１０８に対するユーザーの操作により静止画の撮影が指示されたとき、コントローラ１０９等の制御に基づいて、撮像回路１０１から出力された静止画像データは、画像保持回路１０６及び表示部１１０に入力される。表示部１１０は、入力された当該静止画像データに係る画像を表示する。また、画像保持回路１０６は、入力された当該静止画像データを保持する。
【００２７】
画像保持回路１０６に保持された静止画像データは、静止画ＣＯＤＥＣ回路１０７に出力され、静止画ＣＯＤＥＣ回路１０７にてＪＰＥＧ規格に準拠してデータ圧縮される。さらに、データ処理回路１０３にて必要な付随データが付加されＪＰＥＧのファイルフォーマットに適合する形式になるようデータ処理が施された後、ディスクＩＦ回路１０４を介して、記録メディア１０５における静止画像用の静止画像フォルダ内に記録される。
【００２８】
図３（ａ）は、ユーザー操作によりデジタルカメラ１０で撮影して得られた静止画と動画との各ファイルが記録メディア１０５内のフォルダに配置された結果を、一般的なＰＣが有するファイル閲覧（操作）ソフトを用いて表示した際の表示画面例を示した図である。
【００２９】
従来のデジタルカメラでは、静止画撮影したファイルは静止画フォルダにのみ配置され、動画撮影したファイルは動画フォルダにのみ配置されるだけである。それに対して、本実施形態におけるデジタルカメラ１０では、上述した撮影動作により、撮影した動画の代表静止画像（撮影開始５秒後の１カット）もＪＰＥＧファイルとして、静止画撮影したファイルと同様に静止画フォルダ（１００ｍｓｄｃｆ）に含まれている。なお、当然ながら、動画撮影したＭＰＥＧフォーマットの動画ファイルも動画フォルダ（１００ｍｏｖｉｅ）に配置されている。
【００３０】
図３（ａ）において、“Take1.jpg（S1）”、“Take2.jpg（S2）”、“Take4.jpg（S3）”、“Take7.jpg（S4）”、及び“Take9.jpg（S5）”の５つのＪＰＥＧファイルは、静止画撮影により記録メディア１０５に記録されたファイルである。
“Take3.jpg（m1）”、“Take5.jpg（m2）”、“Take6.jpg（m3）”、及び“Take8.jpg（m4）”のＪＰＥＧファイルは、動画撮影により記録メディア１０５に記録されたＭＰＥＧファイル“Take3.mpg（M1）”、“Take5.mpg（M2）”、“Take6.mpg（M3）”、及び“Take8.mpg（M4）”をそれぞれ代表する静止画像のファイルである。
【００３１】
ここで、デジタルカメラ１０での撮影動作により得られた各ファイルは、動画撮影か静止画撮影かにかかわらず、撮影時刻順に所定の規則でファイル名が付されている。図３（ａ）に示した例では、それぞれのファイルは、添え字ｉの数を撮影時刻順に１ずつ増加させたファイル名“Takei.jpg（mpg）”が付されている。
このように、撮影により得られたファイルに対して撮影時刻順にファイル名を付すことで、静止画像のファイルと動画の代表静止画像のファイルとが記録されている静止画フォルダ（１００ｍｓｄｃｆ）内のＪＰＥＧファイルのみ画像を確認すれば、動画像も含めて撮影順序に沿って容易に画像を見ることができる。
【００３２】
図３（ｂ）は、静止画フォルダ（１００ｍｓｄｃｆ）内に“Take3.jpg（m1）”ファイルとして記録された静止画像を一例として示した図である。この静止画像は、上述したように動画ファイルである“Take3.mpg（M1）”の１場面（代表静止画像）であるので、動画の代表静止画像を示すマーク（印）として、動画撮影の一部であることを示すＭＯＶＩＥマーク３１が代表静止画像３２にスーパーインポーズされている。
【００３３】
＜外部機器（ＰＣ）との通信動作＞
次に、デジタルカメラ１０とＰＣとをＵＳＢ規格に準拠したデジタルインタフェースケーブル（ＵＳＢケーブル）を介して接続し、記録メディア１０５内の画像データをＰＣに転送する際の動作について説明する。
図４は、記録メディア１０５内の画像データをＰＣに転送するときの信号の流れを示す図である。
【００３４】
まず、デジタルカメラ１０とＰＣとがＵＳＢケーブルを介して接続されると、コントローラ１０９はＰＣに対して接続されたことを認識し、デジタルＩＦ回路１１１の制御を行う。さらに、コントローラ１０９の制御により、表示部１１０は、ＰＣ接続中である旨を表示画面に表示する。
【００３５】
また、記録メディア１０５から読み出される、記録されている画像の画像情報は、ディスクＩＦ回路１０４、デジタルＩＦ回路１１１、及びＵＳＢケーブルを順次介して、ＰＣに供給される。このとき使用される通信プロトコルは、マスストレージクラスに準拠した通信プロトコルであり、ＰＣは、デジタルカメラ１０本体のファイルシステムとして機能するデータ処理回路１０３を経由することなく、ディスクＩＦ回路１０４により記録メディア１０５のセクターに直接アクセスことが可能になる。
【００３６】
これにより、ＰＣからは記録メディア１０５をあたかも外付けドライブとして見ることができ、ファイル操作ソフト（例えば、ＯＳであるWindows(R)に付属しているエクスプローラ等）によって、フォルダ構造及びファイル配置までの記録メディア１０５内のデータ構成を容易に確認することができる。さらに、ユーザー操作に基づいて、ＰＣにおいてフォルダ内にある画像ファイルのサムネイル画像を一覧表示可能な所定のフォルダ（例えば、ＯＳであるWindows(R)における「My picture」フォルダ等）に、記録メディア１０５内の静止画フォルダ（１００ｍｓｄｃｆ）をコピーすることで、静止画フォルダ内に記録されているものと同じ静止画像をサムネイル表示によりＰＣ画面上にインデックス表示することができる。
【００３７】
図５は、フォルダ内にある画像ファイルのサムネイル画像を一覧表示可能な所定のフォルダにコピーした静止画フォルダ（１００ｍｓｄｃｆ）についての表示画面例を示す図である。図５に示すように、静止画フォルダ内の静止画ファイルのサムネイル画像がインデックス表示されている。
【００３８】
上述したように、静止画フォルダ（１００ｍｓｄｃｆ）には、静止画像のファイルと動画の代表静止画像のファイルとが撮影時刻順にファイル名を付されて記録されているので、静止画撮影した画像のサムネイル画像と動画撮影したときの代表画像のサムネイル画像とを撮影順序に沿って並べて見ることができる。したがって、撮影順序に沿って、作品にするための編集や撮影した動画から新たに静止画を抽出して利用する場合にも、ユーザーにとっては所望のファイルの探し出しや確認等を非常に簡単な操作で行うことができ、利便性を向上させることができる。
【００３９】
図５に示した本実施形態におけるデジタルカメラ１０を用いた場合の表示画面との比較例として、従来のデジタルカメラにおける同様な状態での表示画面例と、デジタルカメラ本体の再生モードにおける表示部での表示画面例とを図６にそれぞれ示す。
図６（ａ）は、従来のデジタルカメラにおける同様な状態での表示画面例を示した図である。本実施形態におけるデジタルカメラ１０とは異なり、従来のデジタルカメラにおいては静止画撮影した画像ファイルのサムネイル画像だけが表示されている。
【００４０】
図６（ｂ）は、デジタルカメラ本体の再生モードにおける表示部での表示画面例を示した図である。従来の多くのデジタルカメラでは、本体での表示についてのみ、図６（ｂ）に示すような静止画と動画とのサムネイル表示が同時に実現できる。しかしながら、デジタルカメラとＰＣとを接続して、記録メディアに記録されている画像の情報をＰＣ画面上に表示させる場合には、ＵＳＢイメージクラスに準拠した通信によれば本体同様な表示も可能であるが、ＰＣでは専用のアプリケーションが必要であった。これに対して、本実施形態によれば、マスストレージクラスの通信であっても、特殊な専用のアプリケーションを用いることなく、デジタルカメラ１０本体と同様な静止画と動画とのサムネイル表示が可能となる。
【００４１】
＜代表静止画像編集動作＞
次に、デジタルカメラ１０において、動画撮影時に自動的に生成された動画の代表静止画像を、ユーザーの意図により当該動画中の他の画像部分（１フレーム画像）に交換する際の動作を説明する。
図７は、動画の代表静止画像を交換するときの信号の流れを示す図である。
【００４２】
記録メディア１０５から読み出された動画像ファイルの動画像データは、ディスクＩＦ回路１０４にてデータの誤り検出（例えば、エラーチェックコード（ＥＣＣ）を用いた誤り検出）が行われた後、データ処理回路１０３に供給される。この動画像データは、データ処理回路１０３にて所定のデータ処理が施されて連続した動画像データとして出力され、動画像ＣＯＤＥＣ回路１０２にてデータ伸張（デコード）される。データ伸張された動画像データは、画像保持回路１０６を介して表示部１１０に入力され、表示部１１０により当該動画像データに係る画像が表示される。
【００４３】
ここで、表示部１１０に表示される再生した動画像を確認しながら、ユーザーが操作部１０８に対して所定の操作を行うと、このときに表示部１１０に表示されている１フレーム（再生している動画像の１カット）分の画像データが画像保持回路１０６に保持される。さらに、コントローラ１０９の制御により、画像保持回路１０６にて動画クリップの中の１カットであることを示すビットマップデータ（動画像のマーク）が、保持している静止画像の所定位置にスーパーインポーズされる。
【００４４】
そして、上述した動画撮影動作と同様にして、記録メディア１０５における静止画像用の静止画像フォルダ内に、再生された動画像の代表静止画像として画像保持回路１０６に保持している静止画像を記録する。これにより、それまでの当該動画像の代表静止画像と新たな代表静止画像とが交換されて記録される。
【００４５】
図８は、上述した代表静止画像編集動作における表示部１１０での表示画面例を示す図である。
図８に示すように、表示部１１０の表示画面では、代表静止画像編集動作である旨の表示８１がなされ、ユーザー操作に応じて再生している動画像から抽出した新たな代表静止画像の候補画像８２と現在の代表静止画像８４とが、ファイル名８３、８５とともに表示されている。さらに、候補画像８２を再生している動画像の代表静止画像にするか否か等を選択するための「変更」アイコン８６や「追加」アイコン８７等が表示画面上に表示されており、操作部１０８に対するユーザー操作によりアイコンが選択され実行が指示されると、そのアイコンに応じた処理が行われる。
【００４６】
例えば、「変更」アイコン（ボタン）８６は、動画の代表静止画像を再びマニュアル操作（ユーザー操作）で動画ファイルから選択して既にある代表静止画像と置き換えるためのものである。「変更」アイコン８６による操作では、代表静止画像のファイル名称（例えば、文字＋通し番号）は、そのまま引き継がれ、代表静止画像の内容（画像内容）のみ置き換えられる。
【００４７】
また、例えば、「追加」アイコン（ボタン）８７は、長い動画ファイルである場合等に、代表静止画像を複数枚（複数の１フレーム画像）表示させたいときに使用するものである。この「追加」アイコン８７による操作では、既に設定された代表静止画像（例えば、動画撮影時に自動的に生成された代表静止画像）の次に、新たに選択した代表静止画像（例えば、第２の代表静止画像）が撮影時刻順に順次挿入され、記録メディア１０５に記録される。
ここで、動画撮影により記録された動画の代表静止画像と、静止画撮影により記録された静止画像とを撮影時刻順に見る（表示部１１０にて表示させる）には、代表静止画像及び静止画像のファイル名を、撮影時刻順に（例えば、昇順等になるように）設定する必要がある。そこで、この代表静止画像の追加機能を用いる場合には、後から動画の代表静止画像を追加できるように、撮影時には予め所定の間隔を持たせて動画の代表静止画像及び静止画像にファイル名を付せば良い。例えば、撮影時には、撮影時刻順に「ABCD0010」、「ABCD0020」、「ABCD0030」、…のように動画（代表静止画像を含む。）及び静止画像に１０間隔でファイル名を付し、ファイル名「ABCD0020」に係る動画の代表静止画像を新たに追加する場合には、その追加する代表静止画像に「ABCD0021」のファイル名を付して、「ABCD0010」、「ABCD0020」、「ABCD0021」（挿入した代表静止画像）、「ABCD0030」、…となるようにすれば良い。
【００４８】
以上説明した代表静止画像編集動作により、ユーザーは動画の代表静止画像を当該動画から選択し直すことや、新たに抽出した静止画を静止画フォルダに加えることができる。これにより、動画像から静止画像を抜き出し、当該静止画像を静止画フォルダに記録すれば、いわゆるスライドショー用にも静止画フォルダを利用でき、静止画像はもちろん、動画像からあるカットを抜き出して鑑賞することも可能となる。
【００４９】
以上、説明したように本実施形態によれば、撮影して得られた静止画像に加え、撮影して得られた動画の代表静止画像を記録メディア１０５の静止画フォルダ（１００ｍｓｄｃｆ）に撮影時刻順で記録するので、記録メディア１０５の記録内容を確認する際の環境にかかわらず、静止画フォルダ内のファイルのみ画像を確認すれば、動画像も含めて撮影順序に沿って容易に画像を見ることができる。また、記録メディア１０５に記録されている画像データを、必要に応じて時系列的にＰＣに転送することが可能になる。
また、スライドショー機能を利用して静止画フォルダ内のファイルを順次表示させることで、容易かつ全体的に撮影した動画及び静止画を確認でき、鑑賞することも可能となる。
【００５０】
なお、上述した本実施形態では、記録メディア１０５として光ディスク（ＤＶＤ−ＲＡＭ）、デジタルインタフェースとしてＵＳＢ規格に準拠したデジタルインタフェースを一例として示したが、本発明はこれに限定されるものではない。記録メディア１０５としては、各種メモリーカード、ＨＤＤ、ディスクメディア等が適用可能であり、デジタルインタフェースとしては、ＵＳＢ、ＩＥＥＥ１３９４規格に準拠したデジタルインタフェース等が適用可能である。
【００５１】
ここで、これらの記録メディア、デジタルインタフェースを適用してＰＣ等の外部機器と画像データに係る通信を行うときに利用する通信プロトコルには、専用アプリケーションが必要なものと、汎用のストレージクラスに対応しＰＣのＯＳだけで対応可能なものがある。このように多種多様なインタフェースが使われる中で非常にシンプルでＰＣで稼動するＯＳに準拠したＰＣ接続を行うには、上述した本実施形態は、ストレージクラスでありながらも、デジタルカメラ１０本体での表示形態に近い表示が可能であり極めて有効なものである。
【００５２】
また、本実施形態では、動画の代表静止画像に動画マーク（ＭＯＶＩＥマーク）をスーパーインポーズしているが、静止画ファイルの構造により、ＥＸＩＦ（exchangeable image file format）形式等では、本画像データの他にサムネイル画像データを組み込んだものが一般的になっており、この場合には、動画マークはサムネイル画像にのみ付加するようにしても良い。
【００５３】
また、本実施形態における各機能（動画の代表静止画像への動画マークの挿入や、静止画像とともに動画の代表静止画像を記録メディア１０５の静止画フォルダに記録する機能）は、機能毎に有効（ＯＮ）にするか無効（ＯＦＦ）にするかを操作部１０８に対するユーザー操作等により任意に切り替え可能であることは言うまでもない。
【００５４】
また、本実施形態では、動画の代表静止画像を記録メディア１０５の静止画フォルダに記録するようにしているが、動画の代表静止画像と静止画像とを静止画フォルダとは異なる１つの共通フォルダに記録するようにしても良い。また、静止画撮影時にも、その代表画像（画素数の小さな画像に変換してサムネイル画像にする）も作成し、静止画フォルダ及び動画フォルダとは異なる、双方の代表画像だけをまとめて保持する代表画像専用のフォルダを用意して、そのフォルダに記録するようにしても良い。
【００５５】
（本発明の他の実施形態）
上述した実施形態の機能を実現するべく各種のデバイスを動作させるように、該各種デバイスと接続された装置あるいはシステム内のコンピュータに対し、上記実施形態の機能を実現するためのソフトウエアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
また、この場合、上記ソフトウエアのプログラムコード自体が上述した実施形態の機能を実現することになり、そのプログラムコード自体は本発明を構成する。また、そのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリーカード、ＲＯＭ等を用いることができる。
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５６】
【図１】本発明の実施形態による撮像装置を適用したデジタルカメラの構成例を示すブロック図である。
【図２】本実施形態におけるデジタルカメラでの動画撮影時の信号の流れを示す図である。
【図３】本実施形態におけるデジタルカメラの記録メディアのデータ構造及び記録された画像の一例を示す図である。
【図４】本実施形態におけるデジタルカメラの記録メディア１０５に記録された画像データをＰＣに転送するときの信号の流れを示す図である。
【図５】画像ファイルのサムネイルを一覧表示可能なフォルダにコピーした静止画フォルダについての表示画面例を示す図である。
【図６】図５に示した本実施形態におけるデジタルカメラを用いた場合の表示画面との比較例を示す図である。
【図７】本実施形態におけるデジタルカメラの代表静止画像編集動作での信号の流れを示す図である。
【図８】代表静止画像編集動作における表示部での表示画面例を示す図である。
【符号の説明】
【００５７】
１０  デジタルカメラ
１０１  撮像回路
１０２  動画コーデック回路
１０３  データ処理回路
１０４  ディスクインタフェース回路
１０５  記録メディア
１０６  画像保持回路
１０７  静止画コーデック回路
１０８  操作部
１０９  コントローラ
１１０  表示部
１１１  デジタルインタフェース回路
【図１】
2005175822.tif 000003
【図２】
2005175822.tif 000004
【図３】
2005175822.tif 000005
【図４】
2005175822.tif 000006
【図５】
2005175822.tif 000007
【図６】
2005175822.tif 000008
【図７】
2005175822.tif 000009
【図８】
2005175822.tif 000010